(57)【要約】【課題】有用な作品を容易に供給すること。【解決手段】作品供給装置１００は、作品の登録を受付ける登録受付部１１１と、受付けられた作品を登録する登録部１１２と、登録された作品が所定の価値以上か否かを判定する価値判定部１１３と、作品が所定の価値以上であると判定された場合、作品を公開する公開部１１４と、公開された作品の指定を受付ける指定受付部１１５と、指定が受付けられた作品を供給する作品供給部１１６と、公開された作品が所定の需要未満か否かを判定する需要判定部１１７とを備え、公開部１１４は、作品が所定の需要未満であると判定された場合、作品を非公開とする。【選択図】        図２
2004334687.tif 000002
【特許請求の範囲】
【請求項１】
情報の登録を受付ける登録受付手段と、
前記受付けられた情報を登録する登録手段と、
前記登録された情報が所定の価値以上か否かを判定する価値判定手段と、
前記情報が所定の価値以上であると判定された場合、前記情報を公開する公開手段と、
前記公開された情報の指定を受付ける指定受付手段と、
前記指定が受付けられた情報を供給する情報供給手段と、
前記公開された情報が所定の需要未満か否かを判定する需要判定手段とを備え、
前記公開手段は、前記情報が所定の需要未満であると判定された場合、前記情報を非公開とする、情報供給装置。
【請求項２】
前記指定受付手段により指定された情報の対価を受取る対価受取手段をさらに備え、
前記情報供給手段は、前記対価受取手段により対価が受取られた情報を供給する、請求項１に記載の情報供給装置。
【請求項３】
前記対価受取手段により受取られた対価を積算する対価積算手段と、
前記積算された対価の支払要求を受付ける支払要求受付手段と、
前記受付けられた支払要求に応じて、前記登録された情報の前記積算された対価を支払う対価支払手段とをさらに備える、請求項２に記載の情報供給装置。
【請求項４】
所定の評価基準に基づき、前記登録受付手段により登録が受付けられた情報を評価する情報評価手段をさらに備え、
前記価値判定手段は、前記評価された情報が所定の評価以上である場合、前記情報が所定の価値以上であると判定する、請求項１に記載の情報供給装置。
【請求項５】
前記指定受付手段により前記情報の指定が受付けられた回数を積算する指定回数積算手段をさらに備え、
前記需要判定手段は、前記積算された回数が所定回数未満である場合、前記情報が所定の需要未満であると判定する、請求項１に記載の情報供給装置。
【請求項６】
前記公開された情報への投票を受付ける投票受付手段と、
前記情報へ投票された回数を積算する投票回数積算手段とをさらに備え、
前記需要判定手段は、前記積算された回数が所定回数未満である場合、前記情報が所定の需要未満であると判定する、請求項１に記載の情報供給装置。
【請求項７】
作品の登録を受付ける登録受付手段と、
前記受付けられた作品を登録する登録手段と、
前記登録された作品が所定の価値以上か否かを判定する価値判定手段と、
前記作品が所定の価値以上であると判定された場合、前記作品を公開する公開手段と、
前記公開された作品の指定を受付ける指定受付手段と、
前記指定が受付けられた作品を供給する作品供給手段と、
前記公開された作品が所定の需要未満か否かを判定する需要判定手段とを備え、
前記公開手段は、前記作品が所定の需要未満であると判定された場合、前記作品を非公開とする、作品供給装置。
【請求項８】
サーバと端末とを含む情報供給システムであって、
前記端末は、
情報の登録を受付ける登録受付手段を備え、
前記サーバは、
前記受付けられた情報を登録する登録手段と、
前記登録された情報が所定の価値以上か否かを判定する価値判定手段とを備え、
前記端末は、
前記情報が所定の価値以上であると判定された場合、前記情報を公開する公開手段と、
前記公開された情報の指定を受付ける指定受付手段と、
前記指定が受付けられた情報を供給する情報供給手段とをさらに備え、
前記サーバは、
前記公開された情報が所定の需要未満であるか否かを判定する需要判定手段をさらに備え、
前記端末の公開手段は、前記情報が所定の需要未満であると判定された場合、前記情報を非公開とする、情報供給システム。
【請求項９】
端末で受付けられた情報を登録する登録手段と、
前記登録された情報が所定の価値以上か否かを判定する価値判定手段と、
前記情報が所定の価値以上であると判定された場合に前記端末で公開された前記情報が所定の需要未満である場合は前記情報を前記端末で非公開とするために、前記情報が所定の需要未満であるか否かを判定する需要判定手段とを備える、情報供給サーバ。
【請求項１０】
情報の登録を受付ける登録受付手段と、
前記受付けられた情報をサーバに登録する登録手段と、
前記情報が所定の価値以上であると前記サーバにより判定された場合、前記情報を公開する公開手段と、
前記公開された情報の指定を受付ける指定受付手段と、
前記指定が受付けられた情報を供給する情報供給手段とを備え、
前記公開手段は、前記公開された情報が所定の需要未満であると前記サーバにより判定された場合、前記情報を非公開とする、情報供給端末。
【請求項１１】
コンピュータで情報を供給する情報供給方法であって、
情報の登録を受付けるステップと、
前記登録された情報が所定の価値以上か否かを判定するステップと、
前記情報が所定の価値以上であると判定された場合、前記情報を公開するステップと、
前記公開された情報の指定を受付けるステップと、
前記指定が受付けられた情報を供給するステップと、
前記公開された情報が所定の需要未満か否かを判定するステップと、
前記情報が所定の需要未満であると判定された場合、前記情報を非公開とするステップとを含む、情報供給方法。
【請求項１２】
情報の登録を受付けるステップと、
前記登録された情報が所定の価値以上か否かを判定するステップと、
前記情報が所定の価値以上であると判定された場合、前記情報を公開するステップと、
前記公開された情報の指定を受付けるステップと、
前記指定が受付けられた情報を供給するステップと、
前記公開された情報が所定の需要未満か否かを判定するステップと、
前記情報が所定の需要未満であると判定された場合、前記情報を非公開とするステップとをコンピュータに実行させる、情報供給プログラム。
【請求項１３】
請求項１２に記載の情報供給プログラムを記録したコンピュータ読取可能な記録媒体。
【発明の詳細な説明】
【０００１】
【発明の属する技術分野】
本発明は、情報供給装置、作品供給装置、情報供給システム、情報供給サーバ、情報供給端末、情報供給方法、情報供給プログラム、および、情報供給プログラムを記録したコンピュータ読取可能な記録媒体に関し、特に、電子データとして取扱可能な情報を供給するのに適した情報供給装置、作品供給装置、情報供給システム、情報供給サーバ、情報供給端末、情報供給方法、情報供給プログラム、および、情報供給プログラムを記録したコンピュータ読取可能な記録媒体に関する。
【０００２】
【従来の技術】
特開平１１−１２０６９３号公報には、レコード製作会社から供給される音楽ソフトを管理する配信センターと、配信センターと通信回線網を介して接続される店頭販売機または自動販売機とを備える通信形音楽選曲販売システムが開示されている。このシステムの店頭販売機または自動販売機は、ディスプレイと、入力装置と、出力装置とを有し、入力された選曲を配信センターに要求し、配信センターから送信される音楽ソフトを記録媒体に記録して販売する機能を備えるものである。
【０００３】
【特許文献１】
特開平１１−１２０６９３号公報
【０００４】
【発明が解決しようとする課題】
しかし、特開平１１−１２０６９３号公報に開示されている通信形音楽選曲販売システムは、レコード制作会社が販売しようとする音楽ソフトを販売するシステムである。このため、音楽作品を作成した作成者がその音楽作品を販売するためには、レコード制作会社が販売したいという意思をもって、その音楽作品を配信センターに登録する必要があった。
【０００５】
一般に、映画、レコード、ＣＤ製作などで、大手制作会社に所属しないで独自に製作、販売を行なうプロダクション、会社、および、それに係わる作家、音楽家、いわゆる、インディーズは、大手制作会社との関係があまりないため、作成した音楽作品などの作品がたとえ素晴らしい作品であったとしても、その作品を大手制作会社に認めてもらうことは困難であった。また、作成者が、作品に限らず、有用な情報を市場に流通させることは困難であった。
【０００６】
この発明は上述の問題点を解決するためになされたもので、この発明の目的の１つは、有用な情報を容易に供給することが可能な情報供給装置、作品供給装置、情報供給システム、情報供給サーバ、情報供給端末、情報供給方法、情報供給プログラム、および、情報供給プログラムを記録したコンピュータ読取可能な記録媒体を提供することである。
【０００７】
【課題を解決するための手段】
上述の目的を達成するために、この発明のある局面によれば、情報供給装置は、情報の登録を受付ける登録受付手段と、受付けられた情報を登録する登録手段と、登録された情報が所定の価値以上か否かを判定する価値判定手段と、情報が所定の価値以上であると判定された場合、情報を公開する公開手段と、公開された情報の指定を受付ける指定受付手段と、指定が受付けられた情報を供給する情報供給手段と、公開された情報が所定の需要未満か否かを判定する需要判定手段とを備え、公開手段は、情報が所定の需要未満であると判定された場合、情報を非公開とする。
【０００８】
この発明に従えば、情報供給装置により、情報の登録が受付けられ、受付けられた情報が登録され、登録された情報が所定の価値以上か否かが判定され、情報が所定の価値以上であると判定された場合、情報が公開され、公開された情報の指定が受付けられ、指定が受付けられた情報が供給され、公開された情報が所定の需要未満か否かが判定され、情報が所定の需要未満であると判定された場合、情報が非公開とされる。このため、所定の価値以上の情報から所定の需要未満でない情報が供給される。その結果、有用な情報を容易に供給することが可能な情報供給装置を提供することができる。
【０００９】
好ましくは、情報供給装置は、指定受付手段により指定された情報の対価を受取る対価受取手段をさらに備え、情報供給手段は、対価受取手段により対価が受取られた情報を供給する。
【００１０】
この発明に従えば、情報供給装置により、指定された情報の対価が受取られ、対価が受取られた情報が供給される。このため、情報の供給に対する対価を受取ることができる。
【００１１】
好ましくは、情報供給装置は、対価受取手段により受取られた対価を積算する対価積算手段と、積算された対価の支払要求を受付ける支払要求受付手段と、受付けられた支払要求に応じて、登録された情報の積算された対価を支払う対価支払手段とをさらに備える。
【００１２】
この発明に従えば、情報供給装置により、受取られた対価が積算され、積算された対価の支払要求が受付けられ、受付けられた支払要求に応じて、登録された情報の積算された対価が支払われる。このため、情報の供給に対して積算された対価が、情報の登録に対して支払われる。その結果、情報の売買をすることができる。
【００１３】
好ましくは、情報供給装置は、所定の評価基準に基づき、登録受付手段により登録が受付けられた情報を評価する情報評価手段をさらに備え、価値判定手段は、評価された情報が所定の評価以上である場合、情報が所定の価値以上であると判定する。
【００１４】
この発明に従えば、情報供給装置により、所定の評価基準に基づき、登録が受付けられた情報が評価され、評価された情報が所定の評価以上である場合、情報が所定の価値以上あると判定される。このため、所定の評価基準に基づいて所定の評価以上であると判定された情報が公開される。その結果、所定の評価以上である情報を供給することができる。
【００１５】
好ましくは、情報供給装置は、指定受付手段により情報の指定が受付けられた回数を積算する指定回数積算手段をさらに備え、需要判定手段は、積算された回数が所定回数未満である場合、情報が所定の需要未満であると判定する。
【００１６】
この発明に従えば、情報供給装置により、情報の指定が受付けられた回数が積算され、積算された回数が所定回数未満である場合、情報が所定の需要未満であると判定される。このため、情報が指定された回数が所定回数未満である情報は、非公開とされる。その結果、情報が指定された回数が所定回数以上である情報が公開される。
【００１７】
好ましくは、情報供給装置は、公開された情報への投票を受付ける投票受付手段と、情報へ投票された回数を積算する投票回数積算手段とをさらに備え、需要判定手段は、積算された回数が所定回数未満である場合、情報が所定の需要未満であると判定する。
【００１８】
この発明に従えば、情報供給装置により、公開された情報への投票が受付けられ、情報へ投票された回数が積算され、積算された回数が所定回数未満である場合、情報が所定の需要未満であると判定される。このため、投票された回数が所定回数未満である情報は、非公開とされる。その結果、投票された回数が所定回数以上である情報が公開される。
【００１９】
この発明の他の局面によれば、作品供給装置は、作品の登録を受付ける登録受付手段と、受付けられた作品を登録する登録手段と、登録された作品が所定の価値以上か否かを判定する価値判定手段と、作品が所定の価値以上であると判定された場合、作品を公開する公開手段と、公開された作品の指定を受付ける指定受付手段と、指定が受付けられた作品を供給する作品供給手段と、公開された作品が所定の需要未満か否かを判定する需要判定手段とを備え、公開手段は、作品が所定の需要未満であると判定された場合、作品を非公開とする。
【００２０】
この発明に従えば、作品供給装置により、作品の登録が受付けられ、受付けられた作品が登録され、登録された作品が所定の価値以上か否かが判定され、作品が所定の価値以上であると判定された場合、作品が公開され、公開された作品の指定が受付けられ、指定が受付けられた作品が供給され、公開された作品が所定の需要未満か否かが判定され、作品が所定の需要未満であると判定された場合、作品が非公開とされる。このため、所定の価値以上の作品から所定の需要未満でない作品が供給される。その結果、有用な作品を容易に供給することが可能な作品供給装置を提供することができる。
【００２１】
この発明のさらに他の局面によれば、情報供給システムは、サーバと端末とを含み、端末は、情報の登録を受付ける登録受付手段を備え、サーバは、受付けられた情報を登録する登録手段と、登録された情報が所定の価値以上か否かを判定する価値判定手段とを備え、端末は、情報が所定の価値以上であると判定された場合、情報を公開する公開手段と、公開された情報の指定を受付ける指定受付手段と、指定が受付けられた情報を供給する情報供給手段とをさらに備え、サーバは、公開された情報が所定の需要未満であるか否かを判定する需要判定手段をさらに備え、端末の公開手段は、情報が所定の需要未満であると判定された場合、情報を非公開とする。
【００２２】
この発明に従えば、情報供給システムには、サーバと端末とが含まれる。また、端末により、情報の登録が受付けらる。また、サーバにより、受付けられた情報が登録され、登録された情報が所定の価値以上か否かが判定される。また、端末により、情報が所定の価値以上であると判定された場合、情報が公開され、公開された情報の指定が受付けられ、指定が受付けられた情報が供給される。また、サーバにより、公開された情報が所定の需要未満であるか否かが判定される。また、端末により、情報が所定の需要未満であると判定された場合、情報が非公開とされる。このため、所定の価値以上の情報から所定の需要未満でない情報が供給される。その結果、有用な情報を容易に供給することが可能な情報供給システムを提供することができる。
【００２３】
この発明のさらに他の局面によれば、情報供給サーバは、端末で受付けられた情報を登録する登録手段と、登録された情報が所定の価値以上か否かを判定する価値判定手段と、情報が所定の価値以上であると判定された場合に端末で公開された情報が所定の需要未満である場合は情報を端末で非公開とするために、情報が所定の需要未満であるか否かを判定する需要判定手段とを備える。
【００２４】
この発明に従えば、情報供給サーバにより、端末で受付けられた情報が登録され、登録された情報が所定の価値以上か否かが判定され、情報が所定の価値以上であると判定された場合に端末で公開された情報が所定の需要未満である場合は情報を端末で非公開とするために、情報が所定の需要未満であるか否かが判定される。このため、所定の価値以上の情報から所定の需要未満でない情報が供給される。その結果、有用な情報を容易に供給することが可能な情報供給サーバを提供することができる。
【００２５】
この発明のさらに他の局面によれば、情報供給端末は、情報の登録を受付ける登録受付手段と、受付けられた情報をサーバに登録する登録手段と、情報が所定の価値以上であるとサーバにより判定された場合、情報を公開する公開手段と、公開された情報の指定を受付ける指定受付手段と、指定が受付けられた情報を供給する情報供給手段とを備え、公開手段は、公開された情報が所定の需要未満であるとサーバにより判定された場合、情報を非公開とする。
【００２６】
この発明に従えば、情報供給端末により、情報の登録が受付けられ、受付けられた情報がサーバに登録され、情報が所定の価値以上であるとサーバにより判定された場合、情報が公開され、公開された情報の指定が受付けられ、指定が受付けられた情報が供給され、公開された情報が所定の需要未満であるとサーバにより判定された場合、情報が非公開とされる。このため、所定の価値以上の情報から所定の需要未満でない情報が供給される。その結果、有用な情報を容易に供給することが可能な情報供給端末を提供することができる。
【００２７】
この発明のさらに他の局面によれば、情報供給方法は、コンピュータで情報を供給する方法であって、情報の登録を受付けるステップと、登録された情報が所定の価値以上か否かを判定するステップと、情報が所定の価値以上であると判定された場合、情報を公開するステップと、公開された情報の指定を受付けるステップと、指定が受付けられた情報を供給するステップと、公開された情報が所定の需要未満か否かを判定するステップと、情報が所定の需要未満であると判定された場合、情報を非公開とするステップとを含む。
【００２８】
この発明に従えば、有用な情報を容易に供給することが可能な情報供給方法を提供することができる。
【００２９】
この発明のさらに他の局面によれば、情報供給プログラムは、情報の登録を受付けるステップと、登録された情報が所定の価値以上か否かを判定するステップと、情報が所定の価値以上であると判定された場合、情報を公開するステップと、公開された情報の指定を受付けるステップと、指定が受付けられた情報を供給するステップと、公開された情報が所定の需要未満か否かを判定するステップと、情報が所定の需要未満であると判定された場合、情報を非公開とするステップとをコンピュータに実行させる。
【００３０】
この発明に従えば、有用な情報を容易に供給することが可能な情報供給プログラム、および、情報供給プログラムを記録したコンピュータ読取可能な記録媒体を提供することができる。
【００３１】
【発明の実施の形態】
［第１の実施の形態］
以下、本発明の実施の形態について図面を参照して説明する。なお、図中同一符号は同一または相当する部材を示し、重複する説明は繰返さない。
【００３２】
図１は、第１の実施の形態における作品供給装置１００の構成の概略を示すブロック図である。作品供給装置１００は、著作者から著作物を示す作品データを受付け、その作品データを需要者に供給する装置である。著作物とは、思想または感情を創作的に表現したものであって、音楽、美術、文芸、または、学術の範囲に属するものであり、たとえば、音楽の著作物、舞踊または無言劇の著作物、映画の著作物、写真の著作物、絵画、版画、彫刻その他の美術の著作物、小説、脚本、論文、講演その他の言語の著作物、建築の著作物、地図または学術的な性格を有する図面、図表、模型その他の図形の著作物、または、プログラムの著作物などである。著作者とは、著作物を創作する者をいう。著作物を示す作品データとは、著作物をコンピュータで出力可能なように音声、画像、または、文字にそれぞれ変換した音声データ、画像データ、または、文字データである。
【００３３】
図１を参照して、作品供給装置１００は、パーソナルコンピュータ（以下、「ＰＣ（Ｐｅｒｓｏｎａｌ  Ｃｏｍｐｕｔｅｒ）」という）等の汎用的なコンピュータで構成することができる。また、作品供給装置１００は、コンビニエンスストア等に設置されている情報端末を制御するコンピュータの一部または全体の機能として組込むことができる。
【００３４】
作品供給装置１００は、作品供給装置１００の全体を制御するための制御部１１０と、所定の情報を記憶するための記憶部１３０と、作品供給装置１００に所定の情報を入力するための入力部１４０と、作品供給装置１００から所定の情報を出力するための出力部１５０と、記録媒体１６１に記録された情報を入力したり、記録媒体１６１に必要な情報を記録するための外部記憶装置１６０とを含む。また、制御部１１０と、記憶部１３０と、入力部１４０と、出力部１５０と、外部記憶装置１６０とは、バスを介して、互いに接続される。
【００３５】
また、作品供給装置１００は、著作物を示す作品データの供給に対する対価を需要者から受取るための対価受取装置１７０と、著作物を示す作品データを登録した著作者に作品データの登録に対する対価を支払うための対価支払装置１８０とを含む。本実施の形態においては、対価受取装置１７０および対価支払装置１８０は、バスを介して、制御部１１０などと接続されるが、これに限定されず、たとえば、バスに接続されたインターフェース部を介して制御部１１０などと接続されてもよい。
【００３６】
制御部１１０は、ＣＰＵ（Ｃｅｎｔｒａｌ  Ｐｒｏｃｅｓｓｉｎｇ  Ｕｎｉｔ）およびＣＰＵの補助回路からなり、記憶部１３０、入力部１４０、出力部１５０、および、外部記憶装置１６０を制御し、記憶部１３０に記憶されたプログラムにしたがって所定の処理を実行し、入力部１４０、外部記憶装置１６０、または、対価受取装置１７０から入力されたデータを処理し、処理されたデータを、出力部１５０、外部記憶装置１６０、または、対価支払装置１８０に出力する。
【００３７】
記憶部１３０は、制御部１１０でプログラムを実行するために必要な作業領域として用いられるＲＡＭ（Ｒａｎｄｏｍ  Ａｃｃｅｓｓ  Ｍｅｍｏｒｙ）と、制御部１１０で実行するためのプログラムを記憶するためのＲＯＭ（Ｒｅａｄ  Ｏｎｌｙ  Ｍｅｍｏｒｙ）とを含む。また、ＲＡＭには、所定の処理を実行するためのプログラムが、外部記憶装置１６０から読込まれて記憶される。さらに、ＲＡＭの記憶領域を補助するための補助記憶装置として、ハードディスクドライブ（以下、「ＨＤＤ（Ｈａｒｄ  Ｄｉｓｋ  Ｄｒｉｖｅ）」という）等の磁気ディスク記憶装置が用いられる。
【００３８】
入力部１４０は、キーボード、マウス、タッチパネル等からの信号を入力するためのインターフェイスであり、作品供給装置１００に必要な情報を入力することができる。
【００３９】
出力部１５０は、液晶表示装置または陰極線管（以下、「ＣＲＴ（Ｃａｔｈｏｄｅ  Ｒａｙ  Ｔｕｂｅ）」という）等のディスプレイ、および、スピーカに信号を出力するためのインターフェイスであり、作品供給装置１００から必要な情報を出力することができる。
【００４０】
外部記憶装置１６０は、記録媒体１６１に記録されたプログラムやデータを読込み、制御部１１０に送信する。また、外部記憶装置１６０は、制御部１１０からの指示により、記録媒体１６１に必要なデータを書込む。
【００４１】
コンピュータ読取可能な記録媒体１６１は、磁気テープ、カセットテープ、フロッピー（Ｒ）ディスク、ハードディスク等の磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）等の光ディスク、ＭＯ（Ｍａｇｎｅｔｏ  Ｏｐｔｉｃａｌ  ｄｉｓｋ）、ＭＤ（ＭｉｎｉＤｉｓｃ）等の光磁気ディスク、ＩＣカード、光カード等のメモリカード、あるいは、マスクＲＯＭ，ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュＲＯＭ等の半導体メモリを含めた、固定的にプログラムを担持する記録媒体である。
【００４２】
対価受取装置１７０は、著作物を示す作品データの需要者から対価を受取り、受取られた対価の額を制御部１１０に送信する。なお、対価受取装置１７０は、現金で対価を受取ってもよいし、プリペイドカードやクレジットカードのような対価の支払いの用に供するカードで対価を受取ってもよい。
【００４３】
対価支払装置１８０は、制御部１１０から送信された対価の額で示される対価を著作者に支払う。なお、対価支払装置１８０は、現金で対価を支払ってもよいし、プリペイドカードとして対価を支払ってもよい。また、対価受取装置１７０および対価支払装置１８０は、一体として構成されてもよい。また、第１の実施の形態においては、作品供給装置１００は、対価受取装置１７０および対価支払装置１８０を備えなくてもよい。
【００４４】
図２は、第１の実施の形態における作品供給装置１００の機能の概略を示す機能ブロック図である。図２を参照して、作品供給装置１００の制御部１１０は、登録受付部１１１と、登録部１１２と、価値判定部１１３と、公開部１１４と、指定受付部１１５と、作品供給部１１６と、需要判定部１１７とを含む。また、作品供給装置１００の記憶部１３０は、作品記憶部１３１を含む。
【００４５】
登録受付部１１１は、外部記憶装置１６０により記録媒体１６１Ａから読込まれた著作者の作成した著作物を示す作品データの登録を受付ける。なお、著作物を示す作品データを登録させるのは、著作者に限定されず、著作者から著作物を示す作品データを譲受けた者であってもよい。
【００４６】
登録部１１２は、登録受付部１１１により受付けられた作品データを登録する。本実施の形態において、登録するとは、作品記憶部１３１に記憶させることをいう。すなわち、登録部１１２は、作品データを作品記憶部１３１に記憶させる。作品記憶部１３１は、登録部１１２により制御され、作品データを記憶する。
【００４７】
価値判定部１１３は、登録部１１２により登録された作品データで示される著作物が所定の価値以上か否かを判定する。所定の価値以上か否かは、作品データが登録されるごとに、または、所定の期間ごとに、所定のアルゴリズムに基づいて判定されてもよいし、所定の期間ごとに、人が判断することにより判定されてもよい。
【００４８】
公開部１１４は、価値判定部１１３により著作物が所定の価値以上であると判定された場合、その著作物を公開する。すなわち、価値判定部１１３により所定の価値以上であると判定された著作物を示す作品データを、作品記憶部１３１から読出して、出力部１５０から出力して、出力部１５０に接続されたディスプレイに著作物の概観を表示させること、ディスプレイに著作物の名称、特徴などを表示させること、または、試聴のため出力部１５０に接続されたスピーカから著作物を出力させることにより、その著作物をためしに見たり聴いたりできる状態にする。
【００４９】
指定受付部１１５は、公開部１１４により公開された著作物の指定を受付ける。すなわち、公開部１１４により公開された著作物を所望する需要者は、入力部１４０に接続されたキーボード、マウス、タッチパネル等により所望する著作物を指定する指定信号を入力する。そして、指定受付部１１５は、入力部１４０から入力された指定信号を受付ける。
【００５０】
作品供給部１１６は、指定受付部１１５により指定が受付けられた著作物を供給する。すなわち、作品供給部１１６は、作品記憶部１３１に記憶された著作物を示す作品データのうち、需要者が所望する著作物を示す作品データを、外部記憶装置１６０により記録媒体１６１Ｂに記録することにより、需要者に著作物を示す作品データを供給する。
【００５１】
需要判定部１１７は、公開部１１４により公開された著作物が所定の需要未満か否かを判定する。所定の需要未満か否かは、所定期間ごとに、その著作物の需要数が所定数未満か否かを判定することにより判定される。需要数としては、実際にその著作物を需要者に供給した数であってもよいし、人気投票などの投票数に基づいた潜在的な需要を示す数であってもよい。
【００５２】
前述した公開部１１４は、さらに、需要判定部１１７によりその著作物が所定の需要未満であると判定された場合、その著作物を非公開とする。すなわち、公開部１１４は、需要判定部１１７により所定の需要未満であると判定された著作物を公開しないようにする。これにより、所定の需要未満でない著作物を公開することができる。
【００５３】
このような構成により、作品供給装置１００は、所定の価値以上の著作物から所定の需要未満でない著作物を公開することができる。また、需要者は、公開された著作物から所望の著作物を指定することができる。そして、作品供給装置１００は、指定された著作物を需要者に供給する。このため、作品供給装置１００は、所定の価値以上の著作物から所定の需要未満でない著作物を示す作品データを需要者に供給することができる。
【００５４】
図３は、第１の実施の形態における作品供給装置１００で実行されるメイン処理の流れを示すフローチャートである。図３を参照して、まず、ステップＳ１１で、著作者の作成した著作物を示す作品データを登録する作品登録処理が実行される。作品登録処理については、後述する図４で説明する。
【００５５】
次に、ステップＳ１２で、ステップＳ１１で登録された著作物を公開する作品公開処理が実行される。作品公開処理ついては、後述する図５で説明する。
【００５６】
次に、ステップＳ１３で、ステップＳ１２で公開された著作物を示す作品データを需要者に供給する作品供給処理が実行される。作品供給処理については、後述する図６で説明する。ステップＳ１３の後、再度ステップＳ１１に戻り、ステップＳ１１からステップＳ１３までの処理が繰返される。
【００５７】
図４は、第１の実施の形態における作品供給装置１００で実行される作品登録処理の流れを示すフローチャートである。作品登録処理は、図３で説明したメイン処理のステップＳ１１で実行される。
【００５８】
図４を参照して、まず、ステップＳ１１１で、登録受付部１１１により、著作物を示す作品データが受付けられたか否かが判断される。作品データが受付けられていないと判断された場合は、この作品登録処理が終了し、メイン処理に戻る。一方、作品データが受付けられたと判断された場合は、ステップＳ１１２に進む。
【００５９】
ステップＳ１１２では、登録受付部１１１により、ステップＳ１１１で受付けられた作品データが、外部記憶装置１６０により記録媒体１６１Ａから読込まれる。次に、ステップＳ１１３で、登録部１１２により、ステップＳ１１２で読込まれた作品データが、作品記憶部１３１に記憶される。ステップＳ１１３の後、この作品登録処理が終了し、メイン処理に戻る。
【００６０】
図５は、第１の実施の形態における作品供給装置１００で実行される作品公開処理の流れを示すフローチャートである。作品公開処理は、図３で説明したメイン処理のステップＳ１２で実行される。図５を参照して、まず、ステップＳ１２１で、価値判定部１１３により、図４で説明した作品登録処理で登録された作品データで示される著作物の価値が判定される。
【００６１】
次に、ステップＳ１２２で、価値判定部１１３により、ステップＳ１２１で判定された著作物の価値が所定の価値以上であるか否かが判断される。所定の価値以上でないと判断された場合は、ステップＳ１２４に進む。一方、所定の価値以上であると判断された場合は、ステップＳ１２３で、公開部１１４により、作品登録処理で登録された作品データで示される著作物が公開される。
【００６２】
ステップＳ１２４では、需要判定部１１７により、ステップＳ１２３で公開された著作物の需要が判定される。そして、ステップＳ１２５で、需要判定部１１７により、ステップＳ１２４で判定された著作物の需要が所定の需要未満であるか否かが判断される。所定の需要未満でないと判断された場合は、この作品公開処理が終了し、メイン処理に戻る。一方、所定の需要未満であると判断された場合は、ステップＳ１２６で、公開部１１４により、ステップＳ１２３で公開された著作物が非公開とされる。ステップＳ１２６の後、この作品公開処理が終了し、メイン処理に戻る。
【００６３】
図６は、第１の実施の形態における作品供給装置１００で実行される作品供給処理の流れを示すフローチャートである。作品供給処理は、図３で説明したメイン処理のステップＳ１３で実行される。
【００６４】
図６を参照して、まず、ステップＳ１３１で、指定受付部１１５により、図５で説明した作品公開処理で公開された著作物の指定が受付けられたか否かが判断される。著作物の指定が受付けられていないと判断された場合は、この作品供給処理が終了し、メイン処理に戻る。一方、著作物の指定が受付けられたと判断された場合は、ステップＳ１３２に進む。
【００６５】
ステップＳ１３２では、作品供給部１１６により、ステップＳ１３１で指定が受付けられた著作物を示す作品データが、作品記憶部１３１から読出される。そして、ステップＳ１３３で、作品供給部１１６により、ステップＳ１３２で読出された作品データが、外部記憶装置１６０により記録媒体１６１Ｂに記録されることにより、その作品データが示す著作物が需要者に供給される。ステップＳ１３３の後、この作品供給処理が終了し、メイン処理に戻る。
【００６６】
以上説明したように、第１の実施の形態における作品供給装置１００によれば、登録受付部１１１により、著作物を示す作品データの登録が受付けられ、登録部１１２により、受付けられた作品データが登録され、価値判定部１１３により、登録された作品データが示す著作物が所定の価値以上か否かが判定され、著作物が所定の価値以上であると判定された場合、公開部１１４により、著作物が公開され、指定受付部１１５により、公開された著作物の指定が受付けられ、作品供給部１１６により、指定が受付けられた著作物を示す作品データが供給され、需要判定部１１７により、公開された著作物が所定の需要未満か否かが判定され、著作物が所定の需要未満であると判定された場合、公開部１１４により、著作物が非公開とされる。このため、作品供給装置１００により、所定の価値以上の著作物から所定の需要未満でない著作物が供給される。その結果、作品供給装置１００は、有用な著作物を容易に供給することができる。
【００６７】
なお、第１の実施の形態においては、作品供給装置１００で行なわれる処理について説明したが、図３から図６までに示した処理をコンピュータで実行する作品供給方法、図３から図６までに示した処理をコンピュータに実行させるための作品供給プログラム、および、作品供給プログラムを記録したコンピュータ読取可能な記録媒体として発明を捕らえることができる。
【００６８】
また、第１の実施の形態においては、作品供給装置１００により著作物を示す作品データを供給するようにしたが、これに限定されず、作品供給装置１００により供給されるものは、コンピュータで出力可能な音声データ、画像データ、または、文字データなどの情報であればよい。
【００６９】
［第２の実施の形態］
第２の実施の形態における作品供給装置１００Ａは、第１の実施の形態における作品供給装置１００において、著作物を示す作品データの供給に対して対価を受取り、その対価を著作者に支払うものである。したがって、第２の実施の形態における作品供給装置１００Ａの説明において、第１の実施の形態における作品供給装置１００と重複する説明は繰返さない。
【００７０】
図７は、第２の実施の形態における作品供給装置１００Ａの機能の概略を示す機能ブロック図である。図７を参照して、作品供給装置１００Ａの制御部１１０Ａは、登録受付部１１１と、登録部１１２と、価値判定部１１３と、公開部１１４と、指定受付部１１５と、作品供給部１１６Ａと、需要判定部１１７と、対価積算部１１８と、支払要求受付部１１９とを含む。また、作品供給装置１００Ａの記憶部１３０Ａは、作品記憶部１３１と、対価記憶部１３２とを含む。登録受付部１１１と、登録部１１２と、価値判定部１１３と、公開部１１４と、指定受付部１１５と、作品記憶部１３１とについては、第１の実施の形態における図２で説明したので説明は繰返さない。
【００７１】
対価積算部１１８は、対価受取装置１７０を制御して、著作物を所望する需要者から対価を受取り、対価受取装置１７０により需要者から受取られた対価を著作物を示す作品データごとに積算し、積算した対価を対価記憶部１３２に記憶させる。対価記憶部１３２は、作品データごとに積算された対価を記憶する。そして、対価積算部１１８は、対価が受取られた旨を作品供給部１１６Ａに送信する。
【００７２】
作品供給部１１６Ａは、対価積算部１１８から対価が受取られた旨を受信し、指定受付部１１５により指定が受付けられ、対価が受取られた著作物を供給する。すなわち、作品供給部１１６Ａは、作品記憶部１３１に記憶された著作物を示す作品データのうち、需要者が所望し、対価受取装置１７０により対価が受取られた著作物を示すデータを、外部記憶装置１６０により記録媒体１６１Ｂに記憶することにより、需要者に著作物を供給する。
【００７３】
支払要求受付部１１９は、入力部１４０から入力された対価の支払要求信号を受付け、受付けられた支払要求信号に応じて、対価積算部１１８により積算された作品データの対価を著作者に支払うよう対価支払装置１８０を制御する。
【００７４】
図８は、第２の実施の形態における作品供給装置１００Ａで実行されるメイン処理の流れを示すフローチャートである。図８で説明するメイン処理のステップＳ１１およびステップＳ１２の処理は、図３で説明したメイン処理のステップＳ１１およびステップＳ１２の処理と同様であるので、説明は繰返さない。
【００７５】
図８を参照して、ステップＳ１３Ａで、ステップＳ１２で公開された著作物で対価が受取られた著作物を示す作品データを需要者に供給する作品供給処理が実行される。作品供給処理については、後述する図９で説明する。
【００７６】
次に、ステップＳ１４で、ステップＳ１１で登録された著作物を示す作品データに対する対価を著作者に支払う対価支払処理が実行される。対価支払処理については、後述する図１０で説明する。ステップＳ１４の後、再度ステップＳ１１に戻り、ステップＳ１１からステップＳ１４までの処理が繰返される。
【００７７】
図９は、第２の実施の形態における作品供給装置１００Ａで実行される作品供給処理の流れを示すフローチャートである。作品供給処理は、図８で説明したメイン処理のステップＳ１３Ａで実行される。
【００７８】
図９を参照して、まず、ステップＳ１３１で、指定受付部１１５により、図５で説明した作品公開処理で公開された著作物の指定が受付けられたか否かが判断される。著作物の指定が受付けられていないと判断された場合は、この作品供給処理が終了し、メイン処理に戻る。一方、著作物の指定が受付けられたと判断された場合は、ステップＳ１３４に進む。
【００７９】
次に、ステップＳ１３４では、対価積算部１１８により、対価受取装置１７０が制御され、著作物を所望する需要者から対価が受取られる。そして、ステップＳ１３５で、ステップＳ１３４で対価の受取りが正常に済んだか否かが判断される。対価の受取りが正常に済まなかった場合は、この作品供給処理が終了し、メイン処理に戻る。一方、対価の受取りが正常に済んだ場合は、ステップＳ１３６に進む。
【００８０】
次に、ステップＳ１３６では、対価積算部１１８により、ステップＳ１３４で受取られた対価が作品データごとに積算される。そして、ステップＳ１３７で、対価積算部１１８により、ステップＳ１３６で積算された対価が対価記憶部１３２に記憶される。
【００８１】
次のステップＳ１３２およびステップＳ１３３の処理については、図６で説明したステップＳ１３２およびステップＳ１３３の処理と同様であるので、説明は繰返さない。
【００８２】
図１０は、第２の実施の形態における作品供給装置１００Ａで実行される対価支払処理の流れを示すフローチャートである。対価支払処理は、図８で説明したメイン処理のステップＳ１４で実行される。
【００８３】
図１０を参照して、まず、ステップＳ１４１で、支払要求受付部１１９により、入力部１４０から入力された対価の支払要求信号が受付けられたか否かが判断される。対価の支払要求信号が受付けられていない場合は、この対価支払処理が終了し、メイン処理に戻る。一方、対価の支払要求信号が受付けられた場合は、ステップＳ１４２に進む。
【００８４】
ステップＳ１４２では、支払要求受付部１１９により、ステップＳ１４１で対価の支払を要求した者が著作者であるかが認証される。たとえば、著作物を示す作品データを登録するときに、予め認証のためのパスワードを著作者に発行しておき、このステップＳ１４２で、そのパスワードの入力を求め、正常に入力された場合に、対価の支払を要求した者を著作者であると認証する。
【００８５】
次に、ステップＳ１４３で、支払要求受付部１１９により、ステップＳ１４２で対価の支払を要求した者が著作者であると認証されたか否かが判断される。著作者であると認証されていない場合は、この対価支払処理が終了し、メイン処理に戻る。一方、著作者であると認証された場合は、ステップＳ１４４で、支払要求受付部１１９により、図９で説明した作品供給処理のステップＳ１３７で記憶された作品データの対価を著作者に支払うように対価支払装置１８０が制御される。ステップＳ１４４の後、この対価支払処理が終了し、メイン処理に戻る。
【００８６】
以上説明したように、第２の実施の形態における作品供給装置１００Ａによれば、対価積算部１１８により、対価受取装置１７０が制御され、指定された著作物を示す作品データの対価が受取られ、対価積算部１１８から対価が受取られた旨を受信した作品供給部１１６Ａにより、対価が受取られた作品データが供給される。このため、作品供給装置１００Ａは、著作物を示す作品データの供給に対する対価を受取ることができる。
【００８７】
また、作品供給装置１００Ａによれば、対価積算部１１８により、受取られた対価が積算され、支払要求受付部１１９により、入力部１４０から入力された積算された対価の支払要求信号が受付けられ、支払要求受付部１１９により対価支払装置１８０が制御され、受付けられた支払要求信号に応じて、登録された著作物を示す作品データの積算された対価が支払われる。このため、著作物を示す作品データの供給に対して積算された需要者から受取られた対価が、著作物を示す作品データの登録に対して支払われる。その結果、作品供給装置１００Ａにより、著作者および需要者が、それぞれ、著作物を示す作品データの売買をすることができる。
【００８８】
なお、第２の実施の形態においては、作品供給装置１００Ａで行なわれる処理について説明したが、図８と図４と図５と図９と図１０とに示した処理をコンピュータで実行する作品供給方法、図８と図４と図５と図９と図１０とに示した処理をコンピュータに実行させるための作品供給プログラム、および、作品供給プログラムを記録したコンピュータ読取可能な記録媒体として発明を捕らえることができる。
【００８９】
また、第２の実施の形態においては、作品供給装置１００Ａにより著作物を示す作品データを供給するようにしたが、これに限定されず、作品供給装置１００Ａにより供給されるものは、コンピュータで出力可能な音声データ、画像データ、または、文字データなどの情報であればよい。
【００９０】
［第３の実施の形態］
第３の実施の形態における作品供給装置１００Ｂは、第１の実施の形態における作品供給装置１００において、所定の評価基準に基づいた著作物を示す作品データの評価に応じて著作物の価値を判断し、著作物が指定された回数に応じて著作物を示す作品データの需要を判断するものである。したがって、第３の実施の形態における作品供給装置１００Ｂの説明において、第１の実施の形態における作品供給装置１００と重複する説明は繰返さない。
【００９１】
図１１は、第３の実施の形態における作品供給装置１００Ｂの機能の概略を示す機能ブロック図である。図１１を参照して、作品供給装置１００Ｂの制御部１１０Ｂは、登録受付部１１１と、登録部１１２と、価値判定部１１３Ｂと、公開部１１４と、指定受付部１１５と、作品供給部１１６と、需要判定部１１７Ｂと、作品評価部１２１と、指定回数積算部１２２とを含む。また、作品供給装置１００Ｂの記憶部１３０は、作品記憶部１３１を含む。登録受付部１１１と、登録部１１２と、公開部１１４と、指定受付部１１５と、作品供給部１１６と、作品記憶部１３１とについては、第１の実施の形態における図２で説明したので説明は繰返さない。
【００９２】
作品評価部１２１は、所定の評価基準に基づき、作品記憶部１３１に記憶された著作物を示す作品データを評価する。所定の評価基準とは、たとえば、画像データの場合は、各色彩の面積の比率、コントラスト、および、境界線の種類等であり、音声データの場合は、音色、ハーモニー、および、不協和音の量等である。作品評価部１２１は、これらの評価基準を作品データから検出し、これらの評価基準を定量的に評価値として評価する。
【００９３】
価値判定部１１３Ｂは、作品評価部１２１で評価された作品データで示される著作物の評価値に基づき、作品データで示される著作物の価値を判定する。すなわち、価値判定部１１３Ｂは、作品評価部１２１で評価された作品データで示される著作物が所定の評価値以上である場合、作品データで示される著作物が所定の価値以上であると判定する。所定の評価値は、前述した各評価基準のそれぞれに対して予め定められている。
【００９４】
指定回数積算部１２２は、指定受付部１１５により著作物の指定が受付けられた回数を積算する。すなわち、指定回数積算部１２２は、需要者により著作物が指定された指定回数を積算する。
【００９５】
需要判定部１１７Ｂは、指定回数積算部１２２により積算された指定回数に基づき、公開部１１４により公開された著作物の需要を判定する。すなわち、需要判定部１１７Ｂは、指定回数積算部１２２により積算された指定回数が所定回数未満である場合、公開部１１４により公開された著作物が所定の需要未満であると判定する。また、需要判定部１１７Ｂは、指定回数積算部１２２により積算された指定回数が所定回数未満でない場合、公開部１１４により公開された著作物が所定の需要未満でないと判定する。
【００９６】
このような構成によれば、作品供給装置１００Ｂは、所定の評価基準に基づき、登録が受付けられた著作物を示す作品データを評価し、評価された著作物が所定の評価以上である場合、著作物が所定の価値以上であると判定する。このため、所定の評価基準に基づいて所定の評価以上であると判定された著作物が公開される。
【００９７】
また、作品供給装置１００Ｂは、作品データで示される著作物が指定された指定回数を積算し、積算された指定回数が所定回数未満である場合、著作物が所定の需要未満であると判定する。このため、作品データで示される著作物が指定された指定回数が所定回数未満である著作物は、非公開とされる。
【００９８】
図１２は、第３の実施の形態における作品供給装置１００Ｂで実行されるメイン処理の流れを示すフローチャートである。図１２で説明するメイン処理のステップＳ１１の処理は、図３で説明したメイン処理のステップＳ１１の処理と同様であるので、説明は繰返さない。
【００９９】
図１２を参照して、ステップＳ１２Ｂで、ステップＳ１１で登録された著作物を公開する作品公開処理が実行される。作品公開処理については、後述する図１３で説明する。
【０１００】
次に、ステップＳ１３Ｂで、ステップＳ１２Ｂで公開された著作物を示す作品データを需要者に供給する作品供給処理が実行される。作品供給処理については、後述する図１４で説明する。ステップＳ１３Ｂの後、再度ステップＳ１１に戻り、ステップＳ１１からステップＳ１３Ｂまでの処理が繰返される。
【０１０１】
図１３は、第３の実施の形態における作品供給装置１００Ｂで実行される作品公開処理の流れを示すフローチャートである。作品公開処理は、図１２で説明したメイン処理のステップＳ１２Ｂで実行される。
【０１０２】
図１３を参照して、まず、ステップＳ１２７で、作品評価部１２１により、所定の評価基準に基づき、作品記憶部１３１に記憶された著作物を示す作品データが評価される。
【０１０３】
次に、ステップＳ１２１Ｂで、価値判定部１１３Ｂにより、ステップＳ１２７で評価された作品データで示される著作物の評価値に基づき、作品データで示される著作物の価値が判定される。
【０１０４】
ステップＳ１２２およびステップＳ１２３の処理については、図５で説明した作品公開処理のステップＳ１２２およびステップＳ１２３の処理と同様であるので、説明は繰返さない。
【０１０５】
次に、ステップＳ１２４Ｂで、需要判定部１１７Ｂにより、後述する図１３で説明する作品供給処理のステップＳ１３８で積算された著作物の指定が受付けられた回数に基づき、ステップＳ１２３で公開された著作物の需要が判定される。
【０１０６】
ステップＳ１２５およびステップＳ１２６の処理については、図５で説明した作品公開処理のステップＳ１２５およびステップＳ１２６の処理と同様であるので、説明は繰返さない。
【０１０７】
図１４は、第３の実施の形態における作品供給装置１００Ｂで実行される作品供給処理の流れを示すフローチャートである。作品供給処理は、図１２で説明したメイン処理のステップＳ１３Ｂで実行される。
【０１０８】
図１４を参照して、ステップＳ１３１からステップＳ１３３までの処理については、図６で説明した作品供給処理のステップＳ１３１からステップＳ１３３までの処理と同様であるので、説明は繰返さない。
【０１０９】
ステップＳ１３８では、指定回数積算部１２２により、ステップＳ１３１で指定が受付けられた著作物が指定された回数を積算する。そして、ステップＳ１３９で、ステップＳ１３８で積算された著作物の指定回数が記憶される。ステップＳ１３９の後、この作品供給処理が終了し、メイン処理に戻る。
【０１１０】
以上説明したように、第３の実施の形態における作品供給装置１００Ｂによれば、作品評価部１２１により、所定の評価基準に基づき、登録が受付けられた作品データで示される著作物が評価され、評価された作品データで示される著作物が所定の評価以上である場合、作品データで示される著作物が所定の価値以上あると判定される。このため、所定の評価基準に基づいて所定の評価以上であると判定された作品データで示される著作物が公開される。その結果、所定の評価以上である著作物を示す作品データを供給することができる。
【０１１１】
また、作品供給装置１００Ｂによれば、指定回数積算部１２２により、作品データで示される著作物の指定が受付けられた回数が積算され、積算された回数が所定回数未満である場合、需要判定部１１７Ｂにより、作品データで示される著作物が所定の需要未満であると判定される。このため、作品データで示される著作物が指定された回数が所定回数未満である著作物は、非公開とされる。その結果、作品データで示される著作物が指定された回数が所定回数以上である著作物が公開される。
【０１１２】
なお、第３の実施の形態においては、作品供給装置１００Ｂで行なわれる処理について説明したが、図１２と図４と図１３と図１４とに示した処理をコンピュータで実行する作品供給方法、図１２と図４と図１３と図１４とに示した処理をコンピュータに実行させるための作品供給プログラム、および、作品供給プログラムを記録したコンピュータ読取可能な記録媒体として発明を捕らえることができる。
【０１１３】
また、第３の実施の形態においては、作品供給装置１００Ｂにより著作物を示す作品データを供給するようにしたが、これに限定されず、作品供給装置１００Ｂにより供給されるものは、コンピュータで出力可能な音声データ、画像データ、または、文字データなどの情報であればよい。
【０１１４】
また、第２の実施の形態で説明した作品供給装置１００Ａの機能と、第３の実施の形態で説明した作品供給装置１００Ｂの機能とを組合わせた機能を備えた作品供給装置とすることができる。
【０１１５】
［第４の実施の形態］
第４の実施の形態における作品供給装置１００Ｃは、第１の実施の形態における作品供給装置１００において、所定の評価基準に基づいた著作物を示す作品データの評価に応じて著作物の価値を判断し、著作物へ投票された回数に応じて著作物を示す作品データの需要を判断するものである。したがって、第４の実施の形態における作品供給装置１００Ｃの説明において、第１の実施の形態における作品供給装置１００と重複する説明は繰返さない。
【０１１６】
図１５は、第４の実施の形態における作品供給装置１００Ｃの機能の概略を示す機能ブロック図である。図１５を参照して、作品供給装置１００Ｃの制御部１１０Ｃは、登録受付部１１１と、登録部１１２と、価値判定部１１３Ｂと、公開部１１４と、指定受付部１１５と、作品供給部１１６と、需要判定部１１７Ｃと、作品評価部１２１と、投票受付部１２３と、投票回数積算部１２４とを含む。また、作品供給装置１００Ｃの記憶部１３０は、作品記憶部１３１を含む。登録受付部１１１と、登録部１１２と、公開部１１４と、指定受付部１１５と、作品供給部１１６と、作品記憶部１３１とについては、第１の実施の形態における図２で説明したので説明は繰返さない。また、価値判定部１１３Ｂと、作品評価部１２１とについては、第３の実施の形態における図１１で説明したので説明は繰返さない。
【０１１７】
投票受付部１２３は、公開部１１４により公開された著作物への投票を入力部１４０から受付ける。すなわち、公開部１１４により公開された著作物に投票する需要者は、入力部１４０に接続されたキーボード、マウス、タッチパネル等により投票信号を入力する。そして、投票受付部１２３は、入力部１４０から入力された投票信号を受付ける。
【０１１８】
投票回数積算部１２４は、投票受付部１２３により著作物への投票が受付けられた回数を積算する。すなわち、投票回数積算部１２４は、需要者により著作物に投票された投票回数を積算する。
【０１１９】
需要判定部１１７Ｃは、投票回数積算部１２４により積算された投票回数に基づき、公開部１１４により公開された著作物の需要を判定する。すなわち、需要判定部１１７Ｃは、投票回数積算部１２４により積算された投票回数が所定回数未満である場合、公開部１１４により公開された著作物が所定の需要未満であると判定する。また、需要判定部１１７Ｃは、投票回数積算部１２４により積算された投票回数が所定回数未満でない場合、公開部１１４により公開された著作物が所定の需要未満でないと判定する。
【０１２０】
このような構成によれば、作品供給装置１００Ｃは、公開部１１４により公開された作品データで示される著作物への投票を受付け、著作物へ投票された投票回数を積算し、積算された投票回数が所定回数未満である場合、著作物が所定の需要未満であると判定する。このため、投票された投票回数が所定回数未満である著作物は、非公開とされる。
【０１２１】
図１６は、第４の実施の形態における作品供給装置１００Ｃで実行されるメイン処理の流れを示すフローチャートである。図１６で説明するメイン処理のステップＳ１１の処理は、図３で説明したメイン処理のステップＳ１１の処理と同様であるので、説明は繰返さない。
【０１２２】
図１６を参照して、ステップＳ１２Ｃで、ステップＳ１１で登録された著作物を公開する作品公開処理が実行される。作品公開処理については、後述する図１７で説明する。
【０１２３】
ステップＳ１３の処理は、図３で説明したメイン処理のステップＳ１３の処理と同様であるので、説明は繰返さない。
【０１２４】
次に、ステップＳ１５で、ステップＳ１２Ｃで公開された著作物への投票回数を積算する投票処理が実行される。投票処理については、後述する図１８で説明する。ステップＳ１５の後、再度ステップＳ１１に戻り、ステップＳ１１からステップＳ１５までの処理が繰返される。
【０１２５】
図１７は、第４の実施の形態における作品供給装置１００Ｃで実行される作品公開処理の流れを示すフローチャートである。作品公開処理は、図１６で説明したメイン処理のステップＳ１２Ｃで実行される。
【０１２６】
図１７を参照して、ステップＳ１２７からステップＳ１２３までの処理については、図１３で説明した作品公開処理のステップＳ１２７からステップＳ１２３と同様であるので、説明は繰返さない。
【０１２７】
次に、ステップＳ１２４Ｃで、需要判定部１１７Ｃにより、後述する図１８で説明する投票処理のステップＳ１５２で積算された著作物への投票が受付けられた回数に基づき、ステップＳ１２３で公開された著作物の需要が判定される。
【０１２８】
ステップＳ１２５およびステップＳ１２６の処理については、図５で説明した作品公開処理のステップＳ１２５およびステップＳ１２６の処理と同様であるので、説明は繰返さない。
【０１２９】
図１８は、第４の実施の形態における作品供給装置１００Ｃで実行される投票処理の流れを示すフローチャートである。投票処理は、図１６で説明したメイン処理のステップＳ１５で実行される。
【０１３０】
図１８を参照して、まず、ステップＳ１５１で、投票受付部１２３により、ステップＳ１２３で公開された著作物への投票信号が入力部１４０から受付けられる。投票信号が受付けられていない場合は、この投票処理が終了し、メイン処理に戻る。一方、投票信号が受付けられた場合は、ステップＳ１５２に進む。
【０１３１】
ステップＳ１５２では、投票回数積算部１２４により、ステップＳ１５１で著作物への投票が受付けられた回数が積算される。そして、ステップＳ１５３で、ステップＳ１５１で積算された著作物への投票回数が記憶される。ステップＳ１５３の後、この投票処理が終了し、メイン処理に戻る。
【０１３２】
以上説明したように、第４の実施の形態における作品供給装置１００Ｃによれば、投票受付部１２３により、公開された作品データで示される著作物への投票が受付けられ、投票回数積算部１２４により、作品データで示される著作物へ投票された回数が積算され、積算された回数が所定回数未満である場合、需要判定部１１７Ｃにより、作品データで示される著作物が所定の需要未満であると判定される。このため、投票された回数が所定回数未満である著作物は、非公開とされる。その結果、投票された回数が所定回数以上である著作物が公開される。
【０１３３】
なお、第４の実施の形態においては、作品供給装置１００Ｃで行なわれる処理について説明したが、図１６と図４と図１７と図６と図１８とに示した処理をコンピュータで実行する作品供給方法、図１６と図４と図１７と図６と図１８とに示した処理をコンピュータに実行させるための作品供給プログラム、および、作品供給プログラムを記録したコンピュータ読取可能な記録媒体として発明を捕らえることができる。
【０１３４】
また、第４の実施の形態においては、作品供給装置１００Ｃにより著作物を示す作品データを供給するようにしたが、これに限定されず、作品供給装置１００Ｃにより供給されるものは、コンピュータで出力可能な音声データ、画像データ、または、文字データなどの情報であればよい。
【０１３５】
また、第２の実施の形態で説明した作品供給装置１００Ａの機能と、第３の実施の形態で説明した作品供給装置１００Ｂの機能と、第４の実施の形態で説明した作品供給装置１００Ｃの機能とを組合わせた機能を備えた作品供給装置とすることができる。
【０１３６】
また、第２の実施の形態で説明した作品供給装置１００Ａの機能と、第４の実施の形態で説明した作品供給装置１００Ｃの機能とを組合わせた機能を備えた作品供給装置とすることができる。
【０１３７】
また、第３の実施の形態で説明した作品供給装置１００Ｂの機能と、第４の実施の形態で説明した作品供給装置１００Ｃの機能とを組合わせた機能を備えた作品供給装置とすることができる。
【０１３８】
［第５の実施の形態］
第５の実施の形態における作品供給システムは、第１の実施の形態における作品供給装置１００の機能を作品供給サーバ２００と作品供給端末３００とにわけたものである。
【０１３９】
図１９は、第５の実施の形態における作品供給システムの作品供給サーバ２００の構成の概略を示すブロック図である。図１を参照して、作品供給サーバ２００は、ワークステーションまたは汎用機などのサーバとして用いられるコンピュータで構成することができる。
【０１４０】
作品供給サーバ２００は、作品供給サーバ２００の全体を制御するための制御部２１０と、所定の情報を記憶するための記憶部２３０と、作品供給サーバ２００に所定の情報を入力するための入力部２４０と、作品供給サーバ２００から所定の情報を出力するための出力部２５０と、記録媒体２６１に記録された情報を入力したり、記録媒体２６１に必要な情報を記録するための外部記憶装置２６０と、作品供給サーバ２００をネットワーク５００と接続するためのインターフェイスである通信部２９０とを含む。また、制御部２１０と、記憶部２３０と、入力部２４０と、出力部２５０と、外部記憶装置２６０と、通信部２９０とは、バスを介して、互いに接続される。
【０１４１】
制御部２１０、記憶部２３０、入力部２４０、出力部２５０、および、外部記憶装置２６０の機能については、それぞれ、図１で説明した制御部１１０、記憶部１３０、入力部１４０、出力部１５０、および、外部記憶装置１６０の機能と同様であるので、説明は繰返さない。
【０１４２】
通信部２９０は、作品供給サーバ２００をネットワーク５００に接続するための通信インターフェイスである。作品供給サーバ２００は、通信部２９０を介して、他のＰＣ等のコンピュータと必要な情報を送受信する。
【０１４３】
また、コンピュータ読取可能な記録媒体２６１は、図１で説明した記録媒体に加えて、ネットワーク５００からプログラムがダウンロードされるように流動的にプログラムを担持する媒体とすることができる。
【０１４４】
図２０は、第５の実施の形態における作品供給システムの作品供給端末３００の構成の概略を示すブロック図である。図２０を参照して、作品供給端末３００は、ＰＣ等の汎用的なコンピュータで構成することができる。また、作品供給端末３００は、コンビニエンスストア等に設置されている情報端末を制御するコンピュータの一部または全体の機能として組込むことができる。
【０１４５】
作品供給端末３００は、作品供給端末３００の全体を制御するための制御部３１０と、所定の情報を記憶するための記憶部３３０と、作品供給端末３００に所定の情報を入力するための入力部３４０と、作品供給端末３００から所定の情報を出力するための出力部３５０と、記録媒体３６１に記録された情報を入力したり、記録媒体３６１に必要な情報を記録するための外部記憶装置３６０と、作品供給端末３００をネットワーク５００と接続するためのインターフェイスである通信部３９０とを含む。また、制御部３１０と、記憶部３３０と、入力部３４０と、出力部３５０と、外部記憶装置３６０と、通信部３９０とは、バスを介して、互いに接続される。
【０１４６】
また、作品供給端末３００は、著作物を示す作品データの供給に対する対価を需要者から受取るための対価受取装置３７０と、著作物を示す作品データを登録した著作者に作品データの登録に対する対価を支払うための対価支払装置３８０とを含む。本実施の形態においては、対価受取装置３７０および対価支払装置３８０は、バスを介して、制御部３１０などと接続されるが、これに限定されず、たとえば、バスに接続されたインターフェース部を介して制御部３１０などと接続されてもよい。
【０１４７】
制御部３１０、記憶部３３０、入力部３４０、出力部３５０、外部記憶装置３６０、対価受取装置３７０、および、対価支払装置３８０の機能については、それぞれ、図１で説明した制御部１１０、記憶部１３０、入力部１４０、出力部１５０、外部記憶装置１６０、対価受取装置１７０、および、対価支払装置１８０の機能と同様であるので、説明は繰返さない。また、通信部３９０の機能は、図１９で説明した通信部２９０の機能と同様であるので、説明は繰返さない。
【０１４８】
また、コンピュータ読取可能な記録媒体３６１は、図１で説明した記録媒体に加えて、ネットワーク５００からプログラムがダウンロードされるように流動的にプログラムを担持する媒体とすることができる。
【０１４９】
図２１は、第５の実施の形態における作品供給システムの作品供給サーバ２００および作品供給端末３００の機能の概略を示す機能ブロック図である。図２１を参照して、作品供給サーバ２００の制御部２１０は、登録部２１１と、価値判定部２１２と、公開決定部２１３と、作品読出部２１４と、需要判定部２１５とを含む。また、作品供給サーバ２００の記憶部２３０は、作品記憶部２３１を含む。
【０１５０】
作品供給端末３００の制御部３１０は、登録受付部３１１と、公開部３１２と、指定受付部３１３と、作品供給部３１４とを含む。
【０１５１】
作品供給端末３００の登録受付部３１１は、外部記憶装置３６０により記録媒体３６１Ａから読込まれた著作者の作成した著作物を示す作品データの登録を受付ける。登録を受付けられた作品データは、通信部３９０およびネットワーク５００を介して、作品供給サーバに送信される。なお、著作物を示す作品データを登録させるのは、著作者に限定されず、著作者から著作物を示す作品データを譲受けた者であってもよい。
【０１５２】
作品供給サーバ２００の登録部２１１は、作品供給端末３００の登録受付部３１１により受付けられた作品データを登録する。本実施の形態において、登録するとは、作品記憶部２３１に記憶させることをいう。すなわち、登録部２１１は、作品データを作品記憶部２３１に記憶させる。作品記憶部２３１は、登録部２１１により制御され、作品データを記憶する。
【０１５３】
作品供給サーバ２００の価値判定部２１２は、登録部２１１により登録された作品データで示される著作物が所定の価値以上か否かを判定する。所定の価値以上か否かは、作品データが登録されるごとに、または、所定の期間ごとに、所定のアルゴリズムに基づいて判定されてもよいし、所定の期間ごとに、人が判断することにより判定されてもよい。
【０１５４】
作品供給サーバ２００の公開決定部２１３は、価値判定部２１２により著作物が所定の価値以上であると判定された場合、その著作物を公開すると決定する。公開すると決定された著作物を示す作品データは、作品記憶部２３１から読出され、通信部２９０およびネットワーク５００を介して作品供給端末３００に送信される。
【０１５５】
作品供給端末３００の公開部３１２は、作品供給サーバ２００の価値判定部２１２により所定の価値以上であると判定された著作物を公開する。すなわち、公開部３１２は、価値判定部２１２により所定の価値以上であると判定された著作物を示す作品データを、作品記憶部２３１から読出して、作品供給サーバ２００から作品供給端末３００に送信して、出力部３５０に接続されたディスプレイに著作物の概観を表示させること、ディスプレイに著作物の名称、特徴などを表示させること、または、試聴のため出力部３５０に接続されたスピーカから著作物を出力させることにより、その著作物をためしに見たり聴いたりできる状態にする。
【０１５６】
作品供給端末３００の指定受付部３１３は、公開部３１２により公開された著作物の指定を受付ける。すなわち、公開部３１２により公開された著作物を所望する需要者は、入力部３４０に接続されたキーボード、マウス、タッチパネル等により所望する著作物を指定する指定信号を入力する。そして、指定受付部３１３は、入力部３４０から入力された指定信号を受付ける。受付けられた指定信号は、通信部３９０およびネットワーク５００を介して、作品供給サーバ２００に送信される。
【０１５７】
作品供給端末３００の作品供給部３１４は、指定受付部３１３から送信された指定信号に基づいて作品供給サーバ２００の作品読出部２１４により読出された著作物を示す作品データを供給する。すなわち、作品供給部３１４は、作品記憶部２３１に記憶された著作物を示す作品データのうち、需要者が所望する著作物を示す作品データを、外部記憶装置３６０により記録媒体３６１Ｂに記録することにより、需要者に著作物を示す作品データを供給する。
【０１５８】
作品供給サーバ２００の需要判定部２１５は、公開部３１２により公開された著作物が所定の需要未満か否かを判定する。所定の需要未満か否かは、所定期間ごとに、その著作物の需要数が所定数未満か否かを判定することにより判定される。需要数としては、実際にその著作物を需要者に供給した数であってもよいし、人気投票などの投票数に基づいた潜在的な需要を示す数であってもよい。
【０１５９】
前述した作品供給サーバ２００の公開決定部２１３は、さらに、需要判定部２１５によりその著作物が所定の需要未満であると判定された場合、その著作物を非公開とすると決定する。そして、作品供給端末３００の公開部３１２は、需要判定部２１５により所定の需要未満であると判定された著作物を公開しないようにする。これにより、所定の需要未満でない著作物を公開することができる。
【０１６０】
このような構成により、作品供給サーバ２００と作品供給端末３００とを含む作品供給システムでは、作品供給端末３００が、著作物を示す作品データの登録を受付ける。また、作品供給サーバ２００が、受付けられた著作物を示す作品データを登録し、登録された作品データで示される著作物が所定の価値以上か否かを判定する。また、作品供給端末３００が、作品データで示される著作物が所定の価値以上であると判定された場合、作品データで示される著作物を公開し、公開された情報の指定を受付け、指定が受付けられた著作物を示す作品データを供給する。また、作品供給サーバ２００が、公開された作品データで示される著作物が所定の需要未満であるか否かを判定する。また、作品供給端末３００が、作品データで示される著作物が所定の需要未満であると判定された場合、作品データで示される著作物を非公開とする。このため、作品供給システムは、所定の価値以上の作品データで示される著作物から所定の需要未満でない著作物を示す作品データを需要者に供給することができる。
【０１６１】
図２２は、第５の実施の形態における作品供給システムの作品供給サーバ２００および作品供給端末３００でそれぞれ実行されるメイン処理の流れを示すフローチャートである。図２２を参照して、まず、作品供給端末３００において、ステップＳ３１で、著作者の作成した著作物を示す作品データを受付けて作品供給サーバ２００に送信する作品受付送信処理が実行される。作品受付送信処理については、後述する図２３で説明する。
【０１６２】
次に、作品供給サーバ２００において、ステップＳ２１で、作品供給端末２００によりステップＳ３１で送信された著作物を示す作品データを受信して登録する作品受信登録処理が実行される。作品受信登録処理については、後述する図２３で説明する。
【０１６３】
次に、作品供給サーバ２００において、ステップＳ２２で、ステップＳ２１で登録された著作物の公開を決定する作品公開決定処理が実行される。作品公開決定処理については、後述する図２４で説明する。
【０１６４】
次に、作品供給端末３００において、ステップＳ３２で、作品供給サーバ３００によりステップＳ２２で公開が決定された著作物を公開する作品公開処理が実行される。作品公開処理については、後述する図２４で説明する。
【０１６５】
次に、作品供給サーバ２００において、ステップＳ２３で、作品供給端末３００によりステップＳ３３で受付けられた需要者が所望する著作物を示す作品データを読出して作品供給端末３００に送信する作品読出送信処理が実行される。作品読出送信処理については、後述する図２５で説明する。
【０１６６】
次に、作品供給端末３００において、ステップＳ３３で、ステップＳ３２で公開された著作物を示す作品データのうち需要者が所望する著作物を示す作品データを作品供給サーバ２００から受信して需要者に供給する作品受信供給処理が実行される。作品受信供給処理については、後述する図２５で説明する。
【０１６７】
図２３は、第５の実施の形態における作品供給システムの作品供給サーバ２００および作品供給端末３００でそれぞれ実行される作品受信登録処理および作品受付送信処理の流れを示すフローチャートである。作品受信登録処理は、図２２で説明した作品供給サーバ２００で実行されるメイン処理のステップＳ２１で実行される。また、作品受付送信処理は、図２２で説明した作品供給端末３００で実行されるメイン処理のステップＳ３１で実行される。
【０１６８】
図２３を参照して、まず、作品供給端末３００において、ステップＳ３１１で、登録受付部３１１により、著作物を示す作品データが受付けられたか否かが判断される。作品データが受付けられていないと判断された場合は、この作品受付送信処理が終了し、メイン処理に戻る。一方、作品データが受付けられたと判断された場合は、ステップＳ３１２に進む。
【０１６９】
次に、作品供給端末３００において、ステップＳ３１２で、登録受付部３１１により、ステップＳ３１１で受付けられた作品データが、外部記憶装置３６０により記録媒体３６１Ａから読込まれ、通信部３９０およびネットワーク５００を介して作品供給サーバ２００に送信される。作品供給端末３００において、ステップＳ３１２の後、この作品受付送信処理が終了し、メイン処理に戻る。
【０１７０】
次に、作品供給サーバ２００において、ステップＳ２１１で、登録部２１１により、作品供給端末３００から著作物を示す作品データが受信されたか否かが判断される。作品データが受信されていないと判断された場合は、この作品受信登録処理が終了し、メイン処理に戻る。一方、作品データが受信された場合は、ステップＳ２１２で、登録部２１１により、受信された著作物を示す作品データが作品記憶部２３１に記憶される。作品供給サーバ２００において、ステップＳ２１２の後、この作品受信登録処理が終了し、メイン処理に戻る。
【０１７１】
図２４は、第５の実施の形態における作品供給システムの作品供給サーバ２００および作品供給端末３００でそれぞれ実行される作品公開決定処理および作品公開処理の流れを示すフローチャートである。作品公開決定処理は、図２２で説明した作品供給サーバ２００で実行されるメイン処理のステップＳ２２で実行される。また、作品公開処理は、図２２で説明した作品供給端末３００で実行されるメイン処理のステップＳ３２で実行される。
【０１７２】
図２４を参照して、まず、作品供給サーバ２００において、ステップＳ２２１で、価値判定部２１２により、図２３で説明した作品受信登録処理で登録された作品データで示される著作物の価値が判定される。
【０１７３】
次に、作品供給サーバ２００において、ステップＳ２２２で、価値判定部２１２により、ステップＳ２２１で判定された著作物の価値が所定の価値以上であるか否かが判断される。所定の価値以上でないと判断された場合は、ステップＳ２２４に進む。一方、所定の価値以上であると判断された場合は、ステップＳ２２３で、公開決定部２１３により、作品受信登録処理で登録された作品データで示される著作物を公開すると決定される。
【０１７４】
作品供給サーバ２００において、ステップＳ２２４では、需要判定部２１５により、ステップＳ２２３で公開すると決定された著作物の需要が判定される。そして、ステップＳ２２５で、需要判定部２１５により、ステップＳ２２４で判定された著作物の需要が所定の需要未満であるか否かが判断される。所定の需要未満でないと判断された場合は、ステップＳ２２７に進む。一方、所定の需要未満であると判断された場合は、ステップＳ２２６で、公開決定部２１３により、ステップＳ２２３で公開すると決定された著作物を非公開とすると決定される。
【０１７５】
作品供給サーバ２００において、ステップＳ２２７では、公開決定部２１３により、Ｓ２２３で公開すると決定された著作物を示す作品データが読出される。そして、ステップＳ２２８で、公開決定部２１３により、ステップＳ２２７で読出された著作物を示す作品データが、通信部２９０およびネットワーク５００を介して作品供給端末３００に送信される。作品供給サーバ２００において、ステップＳ２２８の後、この作品公開決定処理が終了し、メイン処理に戻る。
【０１７６】
次に、作品供給端末３００において、ステップＳ３２１で、公開部３１２により、作品供給サーバ２００から著作物を示す作品データが受信されたか否かが判断される。作品データが受信されていないと判断された場合は、この作品公開処理が終了し、メイン処理に戻る。一方、作品データが受信されたと判断された場合は、ステップＳ３２２で、公開部３１２により、ステップＳ３２１で受信された作品データで示される著作物が公開される。作品供給端末３００において、ステップＳ３２２の後、この作品公開処理が終了し、メイン処理に戻る。
【０１７７】
図２５は、第５の実施の形態における作品供給システムの作品供給サーバ２００および作品供給端末３００でそれぞれ実行される作品読出送信処理および作品受信供給処理の流れを示すフローチャートである。作品読出送信処理は、図２２で説明した作品供給サーバ２００で実行されるメイン処理のステップＳ２３で実行される。また、作品受信供給処理は、図２２で説明した作品供給端末３００で実行されるメイン処理のステップＳ３３で実行される。
【０１７８】
図２５を参照して、まず、作品供給端末３００において、ステップＳ３３１で、指定受付部３１３により、図２４で説明した作品公開処理で公開された著作物の指定が受付けられたか否かが判断される。著作物の指定が受付けられていないと判断された場合は、ステップＳ３３３に進む。一方、著作物の指定が受付けられたと判断された場合は、ステップＳ３３２に進む。
【０１７９】
作品供給端末３００において、ステップＳ３３２では、指定受付部３１３により、ステップＳ３３１で指定が受付けられた著作物を示す作品データを要求する指定作品要求信号が、通信部３９０およびネットワーク５００を介して作品供給サーバ２００に送信される。
【０１８０】
次に、作品供給サーバ２００において、ステップＳ２３１で、作品読出部２１４により、作品供給端末３００から指定作品要求信号が受信されたか否かが判断される。指定作品要求信号が受信されていないと判断された場合、この作品読出送信処理が終了し、メイン処理に戻る。一方、指定作品要求信号が受信されたと判断された場合、ステップＳ２３２に進む。
【０１８１】
作品供給サーバ２００において、ステップＳ２３２では、作品読出部２１４により、ステップＳ２３１で受信された指定作品要求信号で示される著作物を示す作品データが、作品記憶部２３１から読出される。そして、ステップＳ２３３で、作品読出部２１４により、ステップＳ２３２で読出された著作物を示す作品データが、通信部２９０およびネットワーク５００を介して作品供給端末３００に送信される。作品供給サーバ２００において、ステップＳ２３２の後、この作品読出送信処理が終了し、メイン処理に戻る。
【０１８２】
次に、作品供給端末３００において、ステップＳ３３３で、作品供給部３１４により、作品供給サーバ２００から著作物を示す作品データが受信されたか否かが判断される。作品データが受信されていないと判断された場合、この作品受信供給処理が終了し、メイン処理に戻る。一方、作品データが受信されたと判断された場合、ステップＳ３３４で、作品供給部３１４により、ステップＳ３３３で受信された著作物を示す作品データが、外部記憶装置３６０により記録媒体３６１Ｂに記録されることにより、その作品データが示す著作物が需要者に供給される。作品供給端末３００において、ステップＳ３３４の後、この作品受信供給処理が終了し、メイン処理に戻る。
【０１８３】
以上説明したように、第５の実施の形態における作品供給システムによれば、作品供給システムには、作品供給サーバ２００と作品供給端末３００とが含まれる。また、作品供給端末３００により、著作物を示す作品データの登録が受付けらる。また、作品供給サーバ２００により、受付けられた著作物を示す作品データが登録され、登録された作品データで示される著作物が所定の価値以上か否かが判定される。また、作品供給端末３００により、作品データで示される著作物が所定の価値以上であると判定された場合、作品データで示される著作物が公開され、公開された著作物の指定が受付けられ、指定が受付けられた著作物を示す作品データが供給される。また、作品供給サーバ２００により、公開された作品データで示される著作物が所定の需要未満であるか否かが判定される。また、作品供給端末３００により、作品データで示される著作物が所定の需要未満であると判定された場合、作品データで示される著作物が非公開とされる。このため、所定の価値以上の著作物から所定の需要未満でない著作物を示す作品データが供給される。その結果、有用な著作物を示す作品データを容易に供給することができる。
【０１８４】
なお、第５の実施の形態においては、作品供給サーバ２００および作品供給端末を含む作品供給システムで行なわれる処理について説明したが、図２２から図２５までの作品供給サーバ２００の処理を実行する作品供給サーバ、図２２から図２５までの作品供給端末３００の処理を実行する作品供給端末、図２２から図２５までに示した処理をコンピュータで実行する作品供給方法、図２２から図２５までに示した処理をコンピュータに実行させるための作品供給プログラム、および、作品供給プログラムを記録したコンピュータ読取可能な記録媒体として発明を捕らえることができる。
【０１８５】
また、第５の実施の形態においては、作品供給サーバ２００および作品供給端末３００を含む作品供給システムにより著作物を示す作品データを供給するようにしたが、これに限定されず、作品供給システムにより供給されるものは、コンピュータで出力可能な音声データ、画像データ、または、文字データなどの情報であればよい。
【０１８６】
また、第５の実施の形態においては、第１の実施の形態における作品供給装置１００の機能を、作品供給サーバ２００と作品供給端末３００とに分けた作品供給システムについて説明したが、機能の分け方はこれに限定されず、たとえば、価値判定部２１２を作品供給端末３００に含むようにしてもよい。
【０１８７】
また、第５の実施の形態においては、第１の実施の形態における作品供給装置１００の機能を、作品供給サーバ２００と作品供給端末３００とに分けた作品供給システムについて説明したが、第１の実施の形態における作品供給装置１００の機能を分けることに限定されず、たとえば、第２の実施の形態から第４の実施の形態までのそれぞれにおける作品供給装置１００Ａ〜１００Ｃの機能を、作品供給サーバと作品供給端末とに分けた作品供給システムとすることができる。
【０１８８】
［第６の実施の形態］
第６の実施の形態における作品供給システムは、第５の実施の形態における作品供給システムの作品供給サーバ２００に、第２の実施の形態における作品供給装置１００Ａに含まれる対価積算部１１８、および、対価記憶部１３２を含め、作品供給端末３００に、対価受取装置１７０、および、対価支払装置１８０を含めたものである。また、作品供給端末は、コンビニエンスストア等に設置される情報端末を制御するコンピュータの一部または全体の機能として組込まれる。
【０１８９】
このような構成によれば、作品供給サーバと作品供給端末とを含む作品供給システムでは、作品供給端末が、著作物を示す作品データの登録を受付ける。また、作品供給サーバが、受付けられた著作物を示す作品データを登録し、登録された作品データで示される著作物が所定の価値以上か否かを判定する。また、作品供給端末が、作品データで示される著作物が所定の価値以上であると判定された場合、作品データで示される著作物を公開し、公開された著作物の指定を受付け、指定された著作物を示す作品データの対価が受取られ、対価が受取られた著作物を示す作品データを供給する。また、作品供給サーバが、公開された作品データで示される著作物が所定の需要未満であるか否かを判定する。また、作品供給端末が、作品データで示される著作物が所定の需要未満であると判定された場合、作品データで示される著作物を非公開とする。また、作品供給サーバが、受取られた対価を積算する。また、作品供給端末が、積算された対価の支払要求信号を受付け、受付けられた支払要求信号に応じて、登録された著作物を示す作品データの積算された対価が支払われる。このため、作品供給システムは、所定の価値以上の作品データで示される著作物から所定の需要未満でない著作物を示す作品データを需要者に供給することができ、著作物を示す作品データの供給に対する対価を受取ることができ、著作物を示す作品データの供給に対して積算された需要者から受取られた対価が、著作物を示す作品データの登録に対して支払われる。
【０１９０】
図２６は、第６の実施の形態における作品供給システムの作品供給端末の出力部３５０から出力される表示画面例を示す図である。図２６は、作品供給端末の出力部３５０から情報端末のディスプレイに出力される表示画面の一例を示す図である。なお、ここでは、作品供給システムをインディーズ発掘システムという。
【０１９１】
図２６を参照して、情報端末の利用者は、情報端末のディスプレイ上のタッチパネルを操作することにより、作品供給端末の入力部３４０に信号を入力することができる。
【０１９２】
著作物を示す作品データを販売したい利用者は、表示画面で「販売したい人」の項目に含まれる「メディア」、および、「ジャンル」の項目に含まれる項目を触れることにより、触れた箇所に応じた信号が作品供給端末に入力される。たとえば、著作物を示す作品データを記録している記録媒体が「メモリーカードＡ」であり、著作物の内容が「映像ありバンド演奏」の場合は、利用者は、「メディア」の項目の「４．メモリーカードＡ」の項目と、「ジャンル」の項目の「２．映像ありバンド演奏」の項目とを触れる。これにより、「４．メモリーカードＡ」の項目、および、「２．映像ありバンド演奏」の項目の表示が反転表示とされる。この状態で、利用者が、表示画面の右下の「実行」ボタンを触れることにより、記録媒体３６１ＡであるメモリーカードＡに記録された映像ありバンド演奏の著作物の作品データの登録の受付を指示する信号が、作品供給端末に入力される。
【０１９３】
このような操作がされることにより、外部記憶装置３６０により、記録媒体３６１Ａから、利用者の作成した著作物を示す作品データの登録が受付けられる。
【０１９４】
また、著作物を示す作品データを購入したい利用者は、表示画面で「購入したい人」の項目に含まれる項目を触れることにより、触れた箇所に応じた信号が作品供給端末に入力される。たとえば、購入したい著作物がインディーズバンドの演奏であり、記録媒体３６１ＢであるＭＤも合わせて購入したい場合は、利用者は、「インディーズバンド購入」の項目の「２．ＭＤも購入」の項目を触れる。これにより、「２．ＭＤも購入」の項目の表示が反転表示とされる。この状態で、利用者が、表示画面の右下の「実行」ボタンを触れることにより、インディーズバンドの演奏のタイトルの入力を求める画面が表示され、利用者が、その画面でインディーズバンドの演奏のタイトルを入力することにより、著作物を示す作品データを指定する信号が、作品供給端末に入力される。
【０１９５】
このような操作がされることにより、利用者に対して著作物に応じた対価を要求する画面が表示され、対価受取装置３７０により対価が受取られた後、公開されている著作物を示す作品データのうち、指定された作品データが、ネットワーク５００および通信部３９０を介して受信され、外部記憶装置３６０により、記録媒体３６１Ｂに記録されることにより、利用者に供給される。
【０１９６】
また、本実施の形態においては、著作物を登録するための記録媒体３６１Ａとして、ＦＤ、ＭＤ、ＤＶＤ、メモリーカードＡ、メモリーカードＢ、ＶＴＲ（ＶｉｄｅｏＴａｐｅＲｅｃｏｒｄｅｒ）ＴＡＰＥ、および、紙を用いることができる。
【０１９７】
また、登録できる著作物として、音楽データのみのバンド演奏（映像なしバンド演奏）、音楽データと映像データとを含むバンド演奏（映像ありバンド演奏）、ホームページ用の画像データ（ホームページ用素材）、ＣＧ（Ｃｏｍｐｕｔｅｒ  Ｇｒａｐｈｉｃｓ）アニメーションの画像データ（ＣＧアニメ）、映像データ、および、コミック原画を登録することができる。
【０１９８】
また、バンド演奏の著作物のタイトルが分からないときの便宜のために、作品供給端末は、バンドのグループ名から著作物を検索する「グループ名」検索、バンド演奏のジャンルから著作物を検索する「ジャンル」検索、所定の期間に新たに登録されたバンド演奏から著作物を検索する「新着情報」検索、および、今週の販売数の上位２０位までのバンド演奏から著作物を検索する「今週のベスト２０」検索の機能を備える。
【０１９９】
［第７の実施の形態］
第７の実施の形態における作品供給システムは、第５の実施の形態における作品供給システムに対価決済機能を備えたものである。また、作品供給端末は、汎用的なＰＣの一部の機能として組込まれる。
【０２００】
このような構成によれば、作品供給サーバと作品供給端末とを含む作品供給システムでは、作品供給端末が、著作物を示す作品データの登録を受付ける。また、作品供給サーバが、受付けられた著作物を示す作品データを登録し、登録された作品データで示される著作物が所定の価値以上か否かを判定する。また、作品供給端末が、作品データで示される著作物が所定の価値以上であると判定された場合、作品データで示される著作物を公開し、公開された著作物の指定を受付け、指定された著作物を示す作品データの対価が決済され、対価が決済された著作物を示す作品データを供給する。また、作品供給サーバが、公開された作品データで示される著作物が所定の需要未満であるか否かを判定する。また、作品供給端末が、作品データで示される著作物が所定の需要未満であると判定された場合、作品データで示される著作物を非公開とする。このため、作品供給システムは、所定の価値以上の作品データで示される著作物から所定の需要未満でない著作物を示す作品データを需要者に供給することができ、著作物を示す作品データの供給に対する対価を受取ることができる。
【０２０１】
また、作品供給システムは、対価支払端末４００をさらに含む。そして、作品供給サーバが、著作物を示す作品データの供給に対して受取られた対価を積算する。また、対価支払端末４００が、積算された対価の支払要求信号を受付け、受付けられた支払要求信号に応じて、登録された著作物を示す作品データの積算された対価が支払われる。著作物を示す作品データの供給に対して積算された需要者から受取られた対価が、著作物を示す作品データの登録に対して支払われる。なお、対価支払端末４００は、コンビニエンスストアなどに設置されている情報端末の機能の一部として構成することができる。
【０２０２】
図２７は、第７の実施の形態における作品供給システムの作品供給端末の出力部３５０から出力される表示画面例を示す図である。図２７は、作品供給端末の出力部３５０からディスプレイに出力される表示画面の一例を示す図である。なお、ここでは、作品供給システムをインディーズ発掘システムという。
【０２０３】
図２７を参照して、ＰＣの操作者は、マウスやキーボードを操作することにより、作品供給端末の入力部３４０に信号を入力することができる。
【０２０４】
著作物を示す作品データを販売したい操作者は、図２７（ａ）に示す表示画面で「販売したい人」の項目に含まれる「ジャンル」の項目に含まれる項目に、マウスのポインタを移動させ、マウスのボタンを押下することにより、マウスのポインタの箇所に応じた信号が作品供給端末に入力される。たとえば、著作物の内容が「映像なしバンド演奏」の場合は、操作者は、「ジャンル」の項目の「１．映像なしバンド演奏」の項目に、マウスのポインタを移動させ、マウスのボタンを押下し、販売希望価格を入力し、連絡先の電話番号を入力する。これにより、記録媒体３６１Ａであるハードディスクに記録された映像なしバンド演奏の著作物の作品データの登録の受付を指示する信号が、作品供給端末に入力される。
【０２０５】
このような操作がされることにより、外部記憶装置３６０により、記録媒体３６１Ａから、操作者の作成した著作物を示す作品データの登録が受付けられる。
【０２０６】
また、著作物を示す作品データを購入したい操作者は、図２７（ａ）に示す表示画面で「購入したい人」の項目に含まれる項目に、マウスのポインタを移動させ、マウスのボタンを押下することにより、マウスのポインタの箇所に応じた信号が作品供給端末に入力される。たとえば、購入したい著作物がインディーズバンドの演奏であり、Ｍプレイヤ用の映像がある著作物を購入したい場合は、操作者は、「インディーズバンド購入」の項目の「１．映像あり（Ｍプレイヤ用）」の項目に、マウスのポインタを移動させ、マウスのボタンを押下する。これにより、インディーズバンドの演奏のタイトルの入力を求める画面が表示され、操作者が、その画面でインディーズバンドの演奏のタイトルを入力することにより、著作物を示す作品データを指定する信号が、作品供給端末に入力される。
【０２０７】
このような操作がされることにより、操作者に対して著作物に応じた対価を要求する画面が表示される。そして、操作者が、カード会社名、およｂ、カード番号を入力することにより、カード決済を確認する図２７（ｂ）に示す表示画面が表示される。そして、操作者が「実行」ボタンにマウスのポインタを移動させ、マウスのボタンを押下することにより、公開されている著作物を示す作品データのうち、指定された作品データが、ネットワーク５００および通信部３９０を介して受信され、外部記憶装置３６０のハードディスクに記録されることにより、操作者に供給される。
【０２０８】
また、登録できる著作物として、音楽データのみのバンド演奏（映像なしバンド演奏）、音楽データと映像データとを含むバンド演奏（映像ありバンド演奏）、ホームページ用の画像データ（ホームページ用素材）、ＣＧ（Ｃｏｍｐｕｔｅｒ  Ｇｒａｐｈｉｃｓ）アニメーションの画像データ（ＣＧアニメ）、映像データ、および、コミック原画を登録することができる。
【０２０９】
また、バンド演奏の著作物のタイトルが分からないときの便宜のために、作品供給端末は、バンドのグループ名から著作物を検索する「グループ名」検索、バンド演奏のジャンルから著作物を検索する「ジャンル」検索、所定の期間に新たに登録されたバンド演奏から著作物を検索する「新着情報」検索、および、今週の販売数の上位２０位までのバンド演奏から著作物を検索する「今週のベスト２０」検索の機能を備える。
【０２１０】
今回開示された実施の形態はすべての点で例示であって、制限的なものではないと考えられるべきである。本発明の範囲は上記した説明ではなくて特許請求の範囲によって示され、特許請求の範囲と均等の意味および、範囲内でのすべての変更が含まれることが意図される。
【図面の簡単な説明】
【図１】第１の実施の形態における作品供給装置の構成の概略を示すブロック図である。
【図２】第１の実施の形態における作品供給装置の機能の概略を示す機能ブロック図である。
【図３】第１の実施の形態における作品供給装置で実行されるメイン処理の流れを示すフローチャートである。
【図４】第１の実施の形態における作品供給装置で実行される作品登録処理の流れを示すフローチャートである。
【図５】第１の実施の形態における作品供給装置で実行される作品公開処理の流れを示すフローチャートである。
【図６】第１の実施の形態における作品供給装置で実行される作品供給処理の流れを示すフローチャートである。
【図７】第２の実施の形態における作品供給装置の機能の概略を示す機能ブロック図である。
【図８】第２の実施の形態における作品供給装置で実行されるメイン処理の流れを示すフローチャートである。
【図９】第２の実施の形態における作品供給装置で実行される作品供給処理の流れを示すフローチャートである。
【図１０】第２の実施の形態における作品供給装置で実行される対価支払処理の流れを示すフローチャートである。
【図１１】第３の実施の形態における作品供給装置の機能の概略を示す機能ブロック図である。
【図１２】第３の実施の形態における作品供給装置で実行されるメイン処理の流れを示すフローチャートである。
【図１３】第３の実施の形態における作品供給装置で実行される作品公開処理の流れを示すフローチャートである。
【図１４】第３の実施の形態における作品供給装置で実行される作品供給処理の流れを示すフローチャートである。
【図１５】第４の実施の形態における作品供給装置の機能の概略を示す機能ブロック図である。
【図１６】第４の実施の形態における作品供給装置で実行されるメイン処理の流れを示すフローチャートである。
【図１７】第４の実施の形態における作品供給装置で実行される作品公開処理の流れを示すフローチャートである。
【図１８】第４の実施の形態における作品供給装置で実行される投票処理の流れを示すフローチャートである。
【図１９】第５の実施の形態における作品供給システムの作品供給サーバの構成の概略を示すブロック図である。
【図２０】第５の実施の形態における作品供給システムの作品供給端末の構成の概略を示すブロック図である。
【図２１】第５の実施の形態における作品供給システムの作品供給サーバおよび作品供給端末の機能の概略を示す機能ブロック図である。
【図２２】第５の実施の形態における作品供給システムの作品供給サーバおよび作品供給端末でそれぞれ実行されるメイン処理の流れを示すフローチャートである。
【図２３】第５の実施の形態における作品供給システムの作品供給サーバおよび作品供給端末でそれぞれ実行される作品受信登録処理および作品受付送信処理の流れを示すフローチャートである。
【図２４】第５の実施の形態における作品供給システムの作品供給サーバおよび作品供給端末でそれぞれ実行される作品公開決定処理および作品公開処理の流れを示すフローチャートである。
【図２５】第５の実施の形態における作品供給システムの作品供給サーバおよび作品供給端末でそれぞれ実行される作品読出送信処理および作品受信供給処理の流れを示すフローチャートである。
【図２６】第６の実施の形態における作品供給システムの作品供給端末の出力部から出力される表示画面例を示す図である。
【図２７】第７の実施の形態における作品供給システムの作品供給端末の出力部から出力される表示画面例を示す図である。
【符号の説明】
１００，１００Ａ〜１００Ｃ  作品供給装置、１１０，１１０Ａ〜１１０Ｃ  制御部、１１１  登録受付部、１１２  登録部、１１３，１１３Ｂ  価値判定部、１１４  公開部、１１５  指定受付部、１１６，１１６Ａ  作品供給部、１１７，１１７Ｂ，１１７Ｃ  需要判定部、１１８  対価積算部、１１９  支払要求受付部、１２１  作品評価部、１２２  指定回数積算部、１２３  投票受付部、１２４  投票回数積算部、１３０，１３０Ａ  記憶部、１３１  作品記憶部、１３２  対価記憶部、１４０  入力部、１５０  出力部、１６０  外部記憶装置、１６１，１６１Ａ，１６１Ｂ  記録媒体、１７０  対価受取装置、１８０  対価支払装置、２００  作品供給サーバ、２１０  制御部、２１１  登録部、２１２価値判定部、２１３  公開決定部、２１４  作品読出部、２１５  需要判定部、２３０  記憶部、２３１  作品記憶部、２４０  入力部、２５０  出力部、２６０  外部記憶装置、２６１  記録媒体、２９０  通信部、３００  作品供給端末、３１０  制御部、３１１  登録受付部、３１２  公開部、３１３  指定受付部、３１４  作品供給部、３３０  記憶部、３４０  入力部、３５０  出力部、３６０  外部記憶装置、３６１，３６１Ａ，３６１Ｂ  記録媒体、３７０  対価受取装置、３８０  対価支払装置、３９０  通信部、５００  ネットワーク。
【図１】
2004334687.tif 000003
【図２】
2004334687.tif 000004
【図３】
2004334687.tif 000005
【図４】
2004334687.tif 000006
【図５】
2004334687.tif 000007
【図６】
2004334687.tif 000008
【図７】
2004334687.tif 000009
【図８】
2004334687.tif 000010
【図９】
2004334687.tif 000011
【図１０】
2004334687.tif 000012
【図１１】
2004334687.tif 000013
【図１２】
2004334687.tif 000014
【図１３】
2004334687.tif 000015
【図１４】
2004334687.tif 000016
【図１５】
2004334687.tif 000017
【図１６】
2004334687.tif 000018
【図１７】
2004334687.tif 000019
【図１８】
2004334687.tif 000020
【図１９】
2004334687.tif 000021
【図２０】
2004334687.tif 000022
【図２１】
2004334687.tif 000023
【図２２】
2004334687.tif 000024
【図２３】
2004334687.tif 000025
【図２４】
2004334687.tif 000026
【図２５】
2004334687.tif 000027
【図２６】
2004334687.tif 000028
【図２７】
2004334687.tif 000029